(57)【要約】【課題】蝶番から装置内に水が侵入してしまうことを抑制する手段を提供する。【解決手段】装置本体１と、装置本体１の開口部を開閉する扉２と、扉２を回転可能に支持する蝶番３とを備え、扉２は、開口部を閉塞する状態で装置本体１との隙間を塞ぐ防水部材５が設けられた当接部４を有し、蝶番３を扉２の内側に設けた。【選択図】        図１
2015170108.tif 000002
【特許請求の範囲】
【請求項１】
装置本体と、
前記装置本体の開口部を開閉する扉と、
前記扉を回転可能に支持する蝶番とを備え、
前記扉は、前記開口部を閉塞する状態で前記装置本体との隙間を塞ぐ遮蔽部材が設けられた当接部材を有し、
前記蝶番は、前記扉の内側に設けられていることを特徴とする扉取付け装置。
【請求項２】
請求項１に記載の扉取付け装置において、
前記扉は、
前記開口部を閉塞する状態では、前記遮蔽部材が前記装置本体と当接して前記装置本体との隙間を塞ぎ、
前記開口部を開放する状態では、前記当接部材および前記遮蔽部材が前記扉の回転とともに前記装置本体から離間することを特徴とする扉取付け装置。
【請求項３】
請求項１または請求項２に記載の扉取付け装置において、
前記当接部材は、前記装置本体側の前記扉の端部に設けられた曲げ部材であり、前記装置本体の端部の当接部と前記遮蔽部材を介して当接することを特徴とする扉取付け装置。
【請求項４】
請求項１または請求項２に記載の扉取付け装置において、
前記蝶番は、前記装置本体に固定される第１の蝶番片と、前記扉に固定される第２の蝶番片とを有し、
前記当接部材は、前記第２の蝶番片に設けられ、前記第１の蝶番片の当接部と前記遮蔽部材を介して当接することを特徴とする扉取付け装置。
【請求項５】
装置本体と、
前記装置本体の開口部を開閉する扉と、
前記扉を回転可能に支持する蝶番とを備え、
前記蝶番は、前記装置本体に固定される第１の蝶番片と、前記扉に固定される第２の蝶番片とを回転軸で回転可能に支持し、
前記第１の蝶番片は、前記装置本体の外面から内側に曲げられた支持部材に固定され、
前記第２の蝶番片は、前記扉の外面から内側に曲げられた支持部材に固定され、
前記第１の蝶番片、前記第２の蝶番片および前記回転軸の内側に遮蔽部材が設けられていることを特徴とする扉取付け装置。
【請求項６】
請求項５に記載の扉取付け装置において、
前記遮蔽部材は、防水フィルムであることを特徴とする扉取付け装置。
【請求項７】
請求項５に記載の扉取付け装置において、
前記遮蔽部材は、防水膜であり、前記第１の蝶番片、前記第２の蝶番片および前記回転軸を覆うように取り付けられていることを特徴とする扉取付け装置。
【請求項８】
請求項１から請求項７のいずれかに記載の扉取付け装置を備えたことを特徴とする自動取引装置。
【発明の詳細な説明】
【技術分野】
【０００１】
本発明は、外部からの水の侵入を防ぐ扉取付け装置および自動取引装置に関する。
【背景技術】
【０００２】
従来の扉取付け装置は、蝶番の筒部に一体化された平板アーム部に設けられたスタッドにパッキングを嵌め、そのスタッドを箱体の開口の全面板の穴に通してナットで肯定して箱体の防水性を確保し、開口と扉との寸法精度を容易に確保するようにしている（例えば、特許文献１参照）。
【先行技術文献】
【特許文献】
【０００３】
【特許文献１】特開平６−２４５３３３号公報
【発明の概要】
【発明が解決しようとする課題】
【０００４】
しかしながら、従来の技術においては、図７に示すように、装置本体１０１に扉１０２を取り付ける蝶番１０３が露出しているため、装置が屋外などに設置された場合、雨水などの水が蝶番から装置内に侵入してしまうという問題がある。
本発明は、このような問題を解決することを課題とし、蝶番から装置内に水が侵入してしまうことを抑制することを目的とする。
【課題を解決するための手段】
【０００５】
そのため、本発明は、装置本体と、前記装置本体の開口部を開閉する扉と、前記扉を回転可能に支持する蝶番とを備え、前記扉は、前記開口部を閉塞する状態で前記装置本体との隙間を塞ぐ遮蔽部材が設けられた当接部材を有し、前記蝶番は、前記扉の内側に設けられていることを特徴とする。
【発明の効果】
【０００６】
このようにした本発明は、蝶番から装置内に水が侵入してしまうことを抑制することができるという効果が得られる。
【図面の簡単な説明】
【０００７】
【図１】第１の実施例における扉閉状態の扉取付け装置の構成を示す断面図
【図２】第１の実施例における扉開状態の扉取付け装置の構成を示す断面図
【図３】第２の実施例における扉取付け装置の構成を示す断面図
【図４】第３の実施例における扉閉状態の扉取付け装置の構成を示す断面図
【図５】第３の実施例における扉開状態の扉取付け装置の構成を示す断面図
【図６】第４の実施例における扉取付け装置の構成を示す断面図
【図７】従来例における扉取付け装置の斜視図
【発明を実施するための形態】
【０００８】
以下、図面を参照して本発明による扉取付け装置および自動取引装置の実施例を説明する。
【実施例１】
【０００９】
図１は第１の実施例における扉閉状態の扉取付け装置の構成を示す断面図、図２は第１の実施例における扉開状態の扉取付け装置の構成を示す断面図である。
図１および図２において、扉取付け装置１０は、現金自動預払機や自動券売機等の自動取引装置に備えられるものであり、装置本体１と、装置本体１の開口部を開閉する扉２と、扉２を回転可能に支持する蝶番３とにより構成されている。
装置本体１は、自動取引装置の筐体であり、内部にカードリーダ部、現金入出金部等の各ユニットを収容するものである。この装置本体１は、内部に収容されたユニットを引き出すことができるように開口部が形成されている。
【００１０】
扉２は、装置本体１の前面、後面または側面等に設けられた開口部を閉塞または開放するものであり、装置本体１に図中矢印Ａが示す方向に開閉可能に設けられたものである。
蝶番３は、第１の蝶番片としての蝶番片３ａと、第２の蝶番片としての蝶番片３ｂと、蝶番片３ａ、３ｂを回転可能に支持する軸３ｃとからなり、蝶番片３ａが装置本体１、また蝶番片３ｂが扉２にネジ等で固定され、装置本体１に扉２を開閉可能に支持するものである。
蝶番片３ａは装置本体１の内部から扉２側に延びる第１の支持部材１１の折曲した先端部に固定され、また蝶番片３ｂは扉２の内側に固定されている。したがって、蝶番３は、装置本体１と、閉塞した扉２との内側に配置されている。
【００１１】
扉２の装置本体１側の端部には、折れ曲がった当接部材（曲げ部材）としての当接部４が形成され、その当接部４の先端部にはパッキン等の遮蔽部材としての防水部材５が取り付けられている。一方、装置本体１の蝶番３側の内側の端部には、扉２の当接部４が当接する当接部１ａが設けられており、扉２を閉塞させた状態では、扉２の当接部４が防水部材５を介して当接部１ａに当接するようになっている。
このように、本実施例では、扉２は、装置本体１の開口部を閉塞する状態で装置本体１との隙間を塞ぐ防水部材５が設けられた当接部４を有している。
なお、扉２の当接部４は蝶番３の軸３ｃの軸方向に延びるように形成され、蝶番３の軸方向において装置本体１と扉２とを防水部材５を介して密着させるようにしている。
【００１２】
上述した構成の作用を図１および図２に基づいて説明する。
図１に示すように、扉２が閉じられた状態では、扉２の当接部４に取り付けられた防水部材５が装置本体１の当接部１ａに当接し、扉２は蝶番３の軸方向において隙間なく装置本体１と密着する。
また、図２に示すように、扉２が開けられた状態では、扉２の当接部４に取り付けられた防水部材５が装置本体１の当接部１ａから離間し、扉２は蝶番３を中心に回動する。
本実施例では、扉２は、装置本体１の開口部を閉塞する状態では、防水部材５が装置本体１と当接して装置本体１との隙間を塞ぎ、また装置本体１の開口部を開放する状態では、当接部４および防水部材５が扉２の回転とともに装置本体１から離間する。
【００１３】
このように、扉２が閉じられた状態では、扉２の当接部４に取り付けられた防水部材５が装置本体１の当接部１ａに当接し、扉２は蝶番３の軸方向において隙間なく装置本体１と密着し、蝶番３は装置本体１および扉２の内部側に設けられているため、水が蝶番３から装置本体１および扉２の内部に侵入することはない。
以上説明したように、第１の実施例では、扉が装置本体に対して閉じられた状態において、扉の当接部に取り付けられた防水部材を装置本体の当接部に当接させ、扉を蝶番の軸方向において隙間なく装置本体と密着させるようにしたことにより、蝶番から装置本体の内部に水が侵入することを抑制することができるという効果が得られる。
【実施例２】
【００１４】
図３は第２の実施例における扉取付け装置の構成を示す断面図である。なお、上述した第１の実施例と同様の部分は、同一の符号を付してその説明を省略する。
図３において、扉取付け装置１０は、現金自動預払機や自動券売機等の自動取引装置に備えられるものであり、装置本体１と、装置本体１の開口部を開閉する扉２と、扉２を回転可能に支持する蝶番３１とにより構成されている。
蝶番３１は、第１の蝶番片としての蝶番片３１ａと、第２の蝶番片としての蝶番片３１ｂと、蝶番片３１ａ、３１ｂを回転可能に支持する軸３１ｃとからなり、蝶番片３１ａが装置本体１、また蝶番片３１ｂが扉２にネジ等で固定され、装置本体１に扉２を開閉可能に支持するものである。
【００１５】
蝶番片３１ａは装置本体１の外側から内側に向けて略コ字状に形成された支持部材としての第１の支持部１１ａの先端部に固定され、また蝶番片３１ｂは扉２の外側から内側に向けて略コ字状に形成された支持部材としての第２の支持部２１ａの先端部に固定されている。
装置本体１および扉２の内側であり、蝶番３１の内側には遮蔽部材としての防水フィルム６の両端部が、第１の支持部１１ａの先端部および第２の支持部２１ａの先端部に固定されている。
【００１６】
防水フィルム６は、扉２が閉塞した状態では弛みを持つように第１の支持部１１ａの先端部および第２の支持部２１ａの先端部に固定されており、扉２は図中矢印Ａが示す開閉方向に回動可能になっている。
なお、防水フィルム６は、蝶番３１の軸３１ｃの軸方向に延びるように形成され、蝶番３１の軸方向において装置本体１および扉２の外側と内側とを遮蔽するようにしている。
また、防水フィルム６と、第１の支持部１１ａおよび第２の支持部２１ａとの間、また装置本体１および扉２と、第１の支持部１１ａおよび第２の支持部２１ａとの間には、パッキン等の防水部材が取り付けられている。
【００１７】
図３に示すように、装置本体１、扉２、および蝶番３１（蝶番片３１ａ、３１ｂ、軸３１ｃ）の内側に防水フィルム６を設け、蝶番３１の軸方向において装置本体１および扉２の外側と内側とを遮蔽するようにしているため、水が蝶番３１から装置本体１および扉２の内部に侵入することはない。
なお、本実施例では、遮蔽部材として防水フィルムを使用したが、発泡不連続ゴムを使用しても良い。
以上説明したように、第２の実施例では、装置本体、扉、および蝶番の内側に防水フィルムを設け、扉が装置本体に対して閉じられた状態の蝶番の軸方向において装置本体および扉の外側と内側とを遮蔽するようにしたことにより、蝶番から装置本体の内部に水が侵入することを抑制することができるという効果が得られる。
【実施例３】
【００１８】
図４は第３の実施例における扉閉状態の扉取付け装置の構成を示す断面図、図５は第３の実施例における扉開状態の扉取付け装置の構成を示す断面図である。なお、上述した第１の実施例と同様の部分は、同一の符号を付してその説明を省略する。
図４および図５において、扉取付け装置１０は、現金自動預払機や自動券売機等の自動取引装置に備えられるものであり、装置本体１と、装置本体１の開口部を開閉する扉２と、扉２を回転可能に支持する蝶番３２とにより構成されている。
【００１９】
蝶番３２は、第１の蝶番片としての蝶番片３２ａと、第２の蝶番片としての蝶番片３２ｂと、蝶番片３２ａ、３２ｂを回転可能に支持する軸３２ｃとからなり、蝶番片３２ａが装置本体１、また蝶番片３２ｂが扉２にネジ等で固定され、装置本体１に扉２を開閉可能に支持するものである。
蝶番片３２ｂには、装置本体１に接近する曲げ部材である当接部材４１が取り付けられており、その当接部材４１の装置本体１側にはパッキン等の遮蔽部材としての防水部材５１ａが取り付けられている。一方、装置本体１の蝶番片３２ａには、当接部１ｂが設けられており、扉２を閉塞させた状態では、扉２の当接部材４１が遮蔽部材としての防水部材５１ｂを介して当接部１ｂに当接するようになっている。
【００２０】
なお、当接部材４１は蝶番３２の軸３２ｃの軸方向に延びるように形成され、蝶番３２の軸方向において装置本体１と扉２とを防水部材５１ａを介して密着させるようにしている。
また、蝶番片３２ａと当接部材４１とは、防水部材５１ａを介して密着させるようにしている。
【００２１】
上述した構成の作用を図４および図５に基づいて説明する。
図４に示すように、扉２が閉じられた状態では、扉２の当接部材４１に取り付けられた防水部材５１ａが装置本体１の当接部１ｂに当接し、扉２は蝶番３２の軸方向において隙間なく装置本体１と密着する。
また、図５に示すように、扉２が開けられた状態では、扉２の当接部材４１に取り付けられた防水部材５１ａが装置本体１の当接部１ｂから離間し、扉２は蝶番３を中心に回動する。
【００２２】
このように、扉２が閉じられた状態では、扉２の当接部材４１に取り付けられた防水部材５１ａが装置本体１の当接部１ｂに当接し、扉２は蝶番３の軸方向において隙間なく装置本体１と密着しているため、水が蝶番３から装置本体１および扉２の内部に侵入することはない。
以上説明したように、第３の実施例では、扉が装置本体に対して閉じられた状態において、扉の当接部に取り付けられた防水部材を装置本体の当接部に当接させ、扉を蝶番の軸方向において隙間なく装置本体と密着させるようにしたことにより、蝶番から装置本体の内部に水が侵入することを抑制することができるという効果が得られる。
【実施例４】
【００２３】
図６は第４の実施例における扉取付け装置の構成を示す断面図である。なお、上述した第１の実施例と同様の部分は、同一の符号を付してその説明を省略する。
図６において、扉取付け装置１０は、現金自動預払機や自動券売機等の自動取引装置に備えられるものであり、装置本体１と、装置本体１の開口部を開閉する扉２と、扉２を回転可能に支持する蝶番３３とにより構成されている。
【００２４】
蝶番３３は、第１の蝶番片としての蝶番片３３ａと、第２の蝶番片としての蝶番片３３ｂと、蝶番片３３ａ、３３ｂを回転可能に支持する軸３３ｃとからなり、蝶番片３３ａが装置本体１、また蝶番片３３ｂが扉２にネジ等で固定され、装置本体１に扉２を開閉可能に支持するものである。
蝶番片３３ａは装置本体１の外側から内側に向けて略コ字状に形成された支持部材としての第１の支持部１１ａの先端部に固定され、また蝶番片３３ｂは扉２の外側から内側に向けて略コ字状に形成された支持部材としての第２の支持部２１ａの先端部に固定されている。
【００２５】
装置本体１および扉２の内側であり、蝶番３３の内側には遮蔽部材としてのゴム風船状の防水膜７の両端部が、第１の支持部１１ａおよび第２の支持部２１ａの凹部に入り込み、蝶番３３を含め第１の支持部１１ａおよび第２の支持部２１ａを覆うように被せられている。
防水膜７は、扉２が閉塞した状態では弛みを持つように、蝶番３３を含め第１の支持部１１ａおよび第２の支持部２１ａを覆うように取り付けられているため、扉２は図中矢印Ａが示す開閉方向に回動可能になっている。
なお、防水膜７は、蝶番３３の軸３３ｃの軸方向に延びるように形成され、蝶番３３の軸方向において装置本体１および扉２の外側と内側とを遮蔽するようにしている。
【００２６】
図６に示すように、装置本体１、扉２、および蝶番３３（蝶番片３３ａ、３３ｂ、軸３３ｃ）の内側に防水膜７を設け、蝶番３３の軸方向において装置本体１および扉２の外側と内側とを遮蔽するようにしているため、水が蝶番３３の摺動隙間から装置本体１および扉２の内部に侵入することはない。
以上説明したように、第４の実施例では、装置本体、扉、および蝶番の内側に防水膜を設け、扉が装置本体に対して閉じられた状態の蝶番の軸方向において装置本体および扉の外側と内側とを遮蔽するようにしたことにより、蝶番の摺動隙間から装置本体の内部に水が侵入することを抑制することができるという効果が得られる。
【符号の説明】
【００２７】
１    装置本体
２    扉
３、３１、３２、３３  蝶番
３ａ、３ｂ、３１ａ、３１ｂ、３２ａ、３２ｂ、３３ａ、３３ｂ  蝶番片
３ｃ、３１ｃ、３２ｃ、３３ｃ  軸
４、１ａ、１ｂ  当接部
５、５１ａ、５１ｂ  防水部材
６    防水フィルム
７    防水膜
１０  扉取付け装置
１１、１１ａ  第１の支持部
２１ａ  第２の支持部
４１  当接部材
【図１】
2015170108.tif 000003
【図２】
2015170108.tif 000004
【図３】
2015170108.tif 000005
【図４】
2015170108.tif 000006
【図５】
2015170108.tif 000007
【図６】
2015170108.tif 000008
【図７】
2015170108.tif 000009